(57)【特許請求の範囲】
【請求項１】
測定対象物の位置を測定するために、位置測定システムと処理ユニットとの間でシリアルデータ伝送するための方法において、
位置データ、パラメータデータ、コマンドデータの少なくとも１つを備えた特定の長さのデジタルデータ語（ＤＡＴＡ１−ＤＡＴＡ４）が、この処理ユニット（１０）とこの位置測定システム（２０）との間で伝送され、
−処理ユニット（１０）から位置測定システム（２０）にデジタルデータ語（ＤＡＴＡ１）が送信されている間に、位置制御回路から入力された位置データ要求信号（ＲＱ）が、前記処理ユニット（１０）に入力された場合に、
現在の送信されているデジタルデータ語に対して、位置データ要求信号（ＲＱ）から相対的に時間的にずれた位置にある実際の位置信号が算出され、
−次いで、この実際の位置信号は、この位置測定システム（２０）に伝送される方法。
【請求項２】
前記デジタルデータ語（ＤＡＴＡ１）の伝送の開始と、位置データ要求信号（ＲＱ）の入力との間の時間差（ΔｔＪ）に基づいて算出されることを特徴とする請求項１に記載の方法。
【請求項３】
前記実際の位置信号は、位置データ要求信号（ＲＱ）の入力後の或る一定なトータル時間（ΔｔＧ）に基づいて算出されることを特徴とする請求項１又は２に記載の方法。
【請求項４】
受取られた実際の位置信号は、位置測定システム（２０）側で読込まれる請求項３に記載の方法。
【請求項５】
データ語（ＤＡＴＡ１）の伝送後に、前記位置データ要求命令（ＰＯＳ＿ＲＱ）が、デジタルデータ語として処理ユニット（１０）から位置測定システム（２０）に伝送される請求項２又は３に記載の方法。
【請求項６】
位置データ要求命令（ＰＯＳ＿ＲＱ）の伝送後に、算出された時間差（ΔｔＪ）は、デジタルデータ語として、処理ユニット（１０）から位置測定システム（２０）に伝送される請求項５に記載の方法。
【請求項７】
位置データ要求信号（ＲＱ）の入力と実際の位置信号の受取りとの間の所定のトータル時間（ΔｔＧ）は、
−その時に伝送したデータ語（ＤＡＴＡ１）の待ち状態にある伝送時間（Δｔｒｅｓｔ），
−位置データ要求命令（ＰＯＳ＿ＲＱ）と時間差時間差（ΔｔＪ）とを伝送するために必要な伝送時間（Δｔｔｒａｎｓ），
−この位置データ要求命令（ＰＯＳ＿ＲＱ）とこの時間差時間差（ΔｔＪ）とを評価するために必要な処理時間（Δｔｃａｌ），及び、
−この伝送された時間差（ΔｔＪ）を位置測定システム（２０）中で加算したものである請求項６に記載の方法。
【請求項８】
時間差（ΔｔＪ）は、１つの計数器を使用することによって算出され、この計数器は、１つのデジタルデータ後の伝送の開始ごとに或る特定の開始計数値にリセットされる請求項２に記載の方法。
【請求項９】
相違する長さの伝送区間に起因して変動する各種の位置測定システムの場合によっては変動する伝送時間（Δｔｔｒａｎｓ）は、所定の伝送時間（Δｔｔｒａｎｓ）によって補償され、この所定の伝送時間（Δｔｔｒａｎｓ）は、最も長い伝送区間に対する最大伝送時間（Δｔｔｒａｎｓ）に設定されていて、その結果、トータル時間（ΔｔＧ）が、全ての位置測定システムに対して同一になる請求項７に記載の方法。
【請求項１０】
複数の相違する長さのトータル時間（ΔｔＧ）が、相違する稼動優先権を有する複数の位置データ要求信号（ＲＱ，ＲＱ′）に対して事前に設定され、この場合、最も短いトータル時間（ΔｔＧ）は、最も高い稼動優先権を有する位置データ要求信号に割当てられる請求項３に記載の方法。
【発明の詳細な説明】
【０００１】
【発明の属する技術分野】
本発明は、位置測定システムと処理ユニットとの間でシリアルデータ伝送するための方法と装置に関する。
【０００２】
【従来の技術】
位置測定システムと後続配置された処理ユニット、例えば工作機械の数値制御部との間のシリアルデータ伝送の分野では、より良好なデータ伝送が或る程度要求される。特に伝送される位置データに基づいて非常に動的に制御する場合は、対応するデータ伝送が可能な限り割込み可能であることが必要である。このことは、対応する１つの位置データ要求信号によって位置測定システムから実際の位置データを要求すること、及び、可能な限り短い時間の後に処理ユニット中で任意に処理することが、データ伝送の各時点に対して可能でなければならないことを意味する。しかしながら、要求時点に対してその時に伝送されたデータ語に関する位置データ要求信号の時間的な位置に応じて、実際の位置測定値又は位置データを或る特定の時点に対して受取ることは保証されていない。すなわち、それぞれのデータ語の伝送時間に相当する時間的な不確定性が、位置の受取り時点に関連して存在する。多数の位置測定システムの実際の位置データが、このような位置データ要求信号によって呼出されなければならないときほど、このことはいっそう都合が悪い。この場合、呼出された全ての位置測定システムが、同一時点に対して対応する要求信号に応じてこれらの実際の位置データを受取ってその都度その位置測定システム中に読込むことが、始めから保証されていない。
【０００３】
【発明が解決しようとする課題】
本発明の課題は、位置データを位置測定システム中で常に特定の時点で受取ることを保証する位置測定システムと処理ユニットとの間でシリアルデータ伝送するための方法と装置を提供することにある。
【０００４】
【課題を解決するための手段】
この課題は、請求項１の特徴に記載の方法によって解決される。
【０００５】
本発明の方法の好適な実施形は、請求項１を引用した請求項に記載の手段によって実現される。
【０００６】
さらに、上述した課題は、請求項１１に記載の装置によって解決される。
【０００７】
本発明の装置の好適な実施形は、請求項１１を引用した請求項に記載の手段によって実現される。
【０００８】
これらの本発明の手段は、特にデータ伝送が進行している間に位置データの受取りが要求されるときでも、位置データ又は位置測定値が、位置測定システム中で常に特定の時点に対して受取られてその都度読込まれることを保証する。このことは、例えば多数の位置測定システムが同時に呼出されなければならないときにも保証されている。
【０００９】
本発明の詳しい説明によれば、常に等間隔な特定の複数の時間間隔が、時点と時点との間に存在し、例えば後続配置された位置制御回路が、これらの時点に対してその都度位置データを受取ることが保証され得る。この場合、これらの時間間隔は、その都度の位置制御回路によってプリセットでき、かつプリセットされた伝送プロコトルに依存し得ない。その結果、位置制御のサイクル時間が、データ伝送方式に依存しない。
【００１０】
さらに、これらの提唱した手段を様々な位置データ要求信号と関連させても実現することができる点が、本発明の利点である。すなわち、例えば、位置データを要求するための位置データ要求信号が、走査システムを用いて走査された加工品の輪郭の位置制御のためか又はデジタル化のために準備され得る；相違する稼動優先権が、位置データ要求信号のこれらの両種類に対して存在する。
【００１１】
【発明の実施の形態】
以下に、本発明の２つの実施の形態を図１ａ−１ｃに基づいて説明する。この場合、図１ａは、処理ユニット（ＮＣ）と位置測定システム（ＥＮＣＯＤＥＲ）との間の伝送プロコトルの時間セクタ、すなわち所定の時間間隔でこの処理ユニットから位置測定システムに伝送される複数のデータを示す。別方向のデータ転送、すなわち位置測定システムから処理ユニットに向けたデータ転送は、図示されていない。
【００１２】
対応するインターフェースの具体的な説明に関しては、様々な可能性が本発明の範囲内で存在する；すなわち、好適な実施形では、例えば、各伝送方向に対して１本の独立したデータチャネルを利用することが提唱され得る。この場合、第１データチャネルが、データを処理ユニットから位置測定システムに伝送するために使用される；第２データチャネルが、データを位置測定システムから処理ユニットに伝送するために使用される。
【００１３】
使用される位置測定システムは、工作機械の公知のインクリメンタルな又は絶対的な位置測定システムである。この位置測定システム中では、それぞれの位置データが、通常の方式でシリアル伝送するために評価される。次いで、これらの位置データ及び場合によってはその他のデータが、デジタルデータ語ＤＡＴＡ１−ＤＡＴＡ４としてか、又は多数のデジタルデータ語ＤＡＴＡｎから成るデータパケットとして位置測定システムから処理ユニットに伝送される。
【００１４】
処理ユニットは、工作機械の数値制御部として構成されている。同様に、複数のデータが、複数のデジタルデータ語ＤＡＴＡの形態でか又は複数の対応するデータパケットの形態で処理ユニットから位置測定システムに向けて伝送される。すなわち、二方向通信が、この位置測定システムと処理ユニットとの間で行われる。明らかに、位置データ，パラメータデータ等のような実際に伝送すべきデータのほかに、命令等の伝送もさらに可能である。
【００１５】
この実施の形態では、10ビットから成る語長のデジタルデータ語ＤＡＴＡ１−ＤＡＴＡ４が、位置測定システムと処理ユニットとの間で取り交わされる；明らかに、その他の語長も、本発明の範囲内で設定され得る。以下に、１つの位置データ要求信号ＲＱを、時点ｔ0 に開始する１つのデータ語ＤＡＴＡ１の処理ユニットから位置測定システムへの伝送の間に処理ユニット中に入力する場合を図１ａ，１ｂに基づいて説明する。例えば、位置制御回路が、１つの対応する位置データ要求信号ＲＱを用いて実際の位置データを要求する。実際の位置データのできる限りすぐの伝送が、この実施の形態では時点ｔ1 に１つのこのような位置データ要求信号ＲＱを介して位置測定システムによって要求される。基本的に、１つのこのような位置データ要求信号ＲＱが最終的にどの時点に対して入力するのかは、理論に基づいて決められていない；したがって、その時に伝送されるデータ語ＤＡＴＡ１に関するこの位置データ要求信号ＲＱの時間的な相対位置も、未知である。それ故に、さらなる措置を講じることなしに、１つのデータ語ＤＡＴＡ１を伝送するために必要な時間に相当する時間的な不確定性Δｔが、より後の位置データ受取り時点に対して発生する。データ語ＤＡＴＡ１の語長がこの実施の形態のように10ビットで、かつ、データ伝送速度が30 MBit/sec である場合、このことは、時間的な不確定性Δｔ= 333ns に相当する。次いで、この処理ユニット側では、１つのこのような不確定性が、信号の再処理時に１つの対応する不確定性を再びもたらす。
【００１６】
したがって、この不確定性を排除するため、その時に伝送したデータ語ＤＡＴＡ１又は場合によってはデータパケットに対する位置データ要求信号ＲＱの時間的な相対位置を示す１つの位置信号を算出すること又は測定することを、本発明の基本的な解決手段として提唱する。この実施の形態では、データ語ＤＡＴＡ１の伝送の開始と位置データ要求信号ＲＱの入力との間の時間差ΔｔJ 、すなわち双方の時点ｔ0 と時点ｔ1 の間の時間が、対応する位置信号として算定される。このような時間測定は、例えば適切な計数器を用いて実施される。この計数器は、ｔ0 からのデータ語ＤＡＴＡ１の伝送と共に開始して所定の時間間隔ΔｔZ 中に増分的に計数して時間差ΔｔJ = Z * ΔｔZ を Z = Z(t1) - Z(t0)によって計測する。すなわち、Z(tn) はそれぞれ、時点ｔn に対する計数状態である。各データ語の伝送を開始するため、所定の又は特定の開始計数値 Z(t0)，例えば Z(t0) = 0又は Z(t0) = 15 から計数されることを保証する必要がある。その結果、各々のデジタルデータ語の伝送後又は各々のデジタルデータ語の伝送前に、計数器が、再び対応する開始計数値 Z(t0)にリセットされる。この場合、基本的には、対応する開始計数値 Z(t0)からの減分的な計数も明らかに可能である。
【００１７】
その代わりに、ここでは、１つの対応する位置信号が、例えばｔ1 ，ｔ2 との間の時間間隔でもよい、すなわち位置データ要求信号ＲＱの入力時とデータ語ＤＡＴＡ１の伝送の終了時との間の時間間隔でもよい。同様に次々と、任意に選択された時点に対する信号ＲＱの相対位置が、データ語ＤＡＴＡ１の伝送の間に算定され得る。
【００１８】
実際のデータ語ＤＡＴＡ１の伝送が時点ｔ2 に終了した直後に、次いで位置データ要求命令ＰＯＳ＿ＲＱが、デジタルデータ語として位置測定システム中へ伝送される。実際の位置データの受取りが、この位置測定システムによってこの位置測定システム中で要求される。このデータ語も、この実施の形態の伝送される全てのデジタルデータ語と同様に 10 ビット分の語長を有する。
【００１９】
予め位置測定装置側で算出した位置信号つまり時間差ΔｔJ が、位置データ要求命令ＰＯＳ＿ＲＱの伝送後に処理ユニットから位置測定システムに伝送される。
【００２０】
この算出した時間差ΔｔJ は、同様にデジタル式の 10 ビットデータ語としてシリアルに伝送される。
【００２１】
以下に、第１の場合における位置測定システム側での異なって伝送されたデータ処理を、図１ｂのタイムチャートを用いて説明する。
【００２２】
位置測定システムへのデータ語ＤＡＴＡ１の伝送が、時点ｔ2 に終了する。説明したように、１つの位置データ要求信号ＲＱが、このデータ語ＤＡＴＡ１の伝送の間に時点ｔ1 に発生する。この時点ｔ1 とこの時点ｔ2 に対するデータ語ＤＡＴＡ１の伝送の終了時との間の時間間隔は、図１ｂ，１ｃ中にΔｔrestで示される。位置測定システム中のさらなる信号処理の前のｔ2 に続く時間間隔Δｔtrans (t2;t3) は、位置データ要求命令ＰＯＳ＿ＲＱと時間差ΔｔJ とに関する両デジタルデータ語の伝送期間によって決められている。この場合、この時間間隔Δｔtrans の大きさは、位置測定システムと処理ユニットとの間のその都度の伝送距離の長さに依存する。
【００２３】
時間間隔Δｔcal が、位置データ要求命令ＰＯＳ＿ＲＱと時間差時間差ΔｔJ の伝送後の時点ｔ3 に時点ｔ3 とｔ4 との間で発生する。この時間間隔Δｔcal は、伝送された位置測定システム側で位置データ要求命令ＰＯＳ＿ＲＱと時間差時間差ΔｔJ とに関するデータ語を処理するために必要になる。原則的には、伝送されたデータが位置測定システム側で適切に処理された直後に、実際の位置データが受取られ得るか又は読込まれ得る。しかしながら、この場合、上述した位置データ要求信号ＲＱの入力の時点に関する時間的な不確定性Δｔのために、位置データを受取るために一義的に特定した時点が時点ｔ1 以降に存在することを保証しない。
【００２４】
それ故に、実際の位置データが位置測定システム中で最終的に受取られるか又は読込まれるまで、本発明にしたがって算出した時間差ΔｔJ が待たされる。したがって、所定のトータル時間ΔｔG は、時点ｔ1 の位置データ要求信号ＲＱの入力時点と受取り時点ｔ5 との間で一定である。
【００２５】
その結果、このトータル時間ΔｔG は、この実施の形態では、説明したように、
−  その時に伝送したデータ語ＤＡＴＡ１の待ち状態にある伝送時間Δｔrest，−  位置データ要求命令ＰＯＳ＿ＲＱと時間差時間差ΔｔJ とを伝送するために必要な伝送時間Δｔtrans ，
−  この位置データ要求命令ＰＯＳ＿ＲＱとこの時間差時間差ΔｔJ とを評価するために必要な処理時間Δｔcal ，及び、
−  この伝送された時間差ΔｔJ を加算したものである、すなわち、
ΔｔG = Δｔrest +Δｔtrans + Δｔcal + ΔｔJ 
である。
【００２６】
可能な実施形では、計数器が位置測定システム中に同様に設けられている。この計数器は、時点ｔ4 から、すなわち位置データ要求命令ＰＯＳ＿ＲＱ及び時間差時間差ΔｔJ の評価が終了している時点から時点ｔ5 までこの時間差ΔｔJ まで増分的に計数する。このとき、実際の位置データが、説明したように時点ｔ5 に受取られる。同様に、この点に関しては、対応する計数器等を代わりに減分することも明らかに可能である。
【００２７】
複数のいろいろな位置測定システムと１つの中央の処理ユニットとの間の伝送距離の長さが異なる場合でも、本発明の範囲内で対処することができる。異なる長さの伝送距離は、例えば異なる伝送時間Δｔtrans を伴い、他方ではこれによって望まないように変化するトータル時間ΔｔG を伴う。このような場合には、システムを起動する前に、伝送距離が変化するこれらのいろいろな位置測定システムに対して異なる伝送時間Δｔtrans を測定することが必要である。実際の稼働中では、このとき、最も長い伝送距離に対する最大伝送時間Δｔtrans を示す１つの伝送時間Δｔtrans を、使用される全ての位置測定システムに対して考慮する必要がある。このことは、例えばその位置測定システム中の対応する開始計数値によって実施される。この開始計数値は、独立して又は各々の位置測定システムに対する伝送距離の長さに依存して算出されて前もって設定される。こうして、一定な所望のトータル時間ΔｔG が、全ての異なる位置測定システムに対して同様に保証される。
【００２８】
したがって、位置データ要求信号ＲＱが、データ語ＤＡＴＡ１の伝送の間のもう１つ別の時点に対して入力する場合でも、実際の位置データが、或る特定の時点に対して受取られる点、すなわちこの位置データ要求信号ＲＱの入力時点後の上述したトータル時間ΔｔG を経過した時点に対して同様に受取られる点が本発明に関して重要である。この場合は、図１ｃ中に具体的に説明されている。以下に簡単に説明する。
【００２９】
その前の実施の形態と異なり、位置データ要求信号ＲＱが今度は、データ語ＤＡＴＡ１の伝送の間により早い時点ｔ1 に対して入力する。上述したように、データ語ＤＡＴＡ１の伝送の開始時と時点ｔ1 との間の時間差ΔｔJ が、同様に算定される。時間間隔Δｔrest中の残りのデータ語の伝送後、並びに位置データ要求命令ＰＯＳ＿ＲＱ及び時間差時間差ΔｔJ に関する両データ語の伝送後に要求された位置が、時点ｔ5 に位置測定システム側で再び受取られる。これらの異なるデータ語の伝送及びこの目的のために必要な時間Δｔtrans の終了後に、時間Δｔcal が、これらの受信したデータ処理のために必要になる。そして、実際の位置が上述したように時点ｔ5 に読込まれるまで、時間差ΔｔJ が本発明にしたがって待機状態になる。本発明の方法のために、時点ｔ1 に対する位置データ要求信号ＲＱの入力時と受取り時点ｔ5 との間のトータル時間ΔｔG は、その前の場合のｔ1 とｔ5 との間に存在するトータル時間ΔｔG と一致する。したがって、実際の位置データが、位置データ要求信号ＲＱから或る特定の既知の時点までの各状況で受取られることが保証される。その結果、その時に伝送したデータ語ＤＡＴＡ１に関する位置データ要求信号ＲＱの既知でない時間的な位置に起因した時間的な不確定性Δｔが補償されている。
【００３０】
本発明の範囲内では、位置データ要求信号ＲＱの処理のほかに位置データ要求信号ＲＱ′の処理も可能である。位置制御用の実際の位置データが、これらの位置データ要求信号ＲＱと共に可能な限り迅速に要求される。例えば走査された加工品の輪郭のデジタル化用の位置データが、これらの位置データ要求信号ＲＱ′と共に位置測定システムによって要求される。これによって、処理のための位置データが、処理ユニット中で所定の稼働優先権で位置測定システムによって要求され得る。通常、加工品の輪郭は、走査システムを用いてデジタル化される。この走査システムは、その都度の加工品の輪郭を走査して、１つの走査信号の発生時に走査システムの実際の位置データを処理ユニットに伝える。これらの実際の位置データは、最終的に位置測定システムによって受取られる。位置制御用の位置データは、特に非常に動的な制御時に極めて迅速に処理する必要がある一方で、加工品のデジタル化のための位置データのさらなる処理は、時間的にほとんど急がれない。この理由から、相違する稼働優先権が割当てられている多数の位置データ要求信号を使用することを提唱してもよい。すなわち、例えば１つの第１位置データ要求信号ＲＱが準備されている。この第１位置データ要求信号は、最も高い稼働優先権で位置データを処理ユニットに伝送させる。これらの位置データは、この処理ユニットで位置制御のために使用される。さらに、少なくとも１つの第２位置データ要求信号ＲＱ′が存在する。この第２位置データ要求信号ＲＱ′は、より低い稼働優先権で実際の位置データを処理ユニットに伝送させる。次いで、これらの実際の位置データは、この処理ユニットで加工品の輪郭のデジタル化のために使用される。
【００３１】
これらの異なる位置データ要求信号ＲＱ，ＲＱ′に割当てられたこれらの稼働優先権は、優先権の再度の区分化を位置のサンプリング中に可能にする。その結果、例えばその時進行している処理ユニットに対する位置データの伝送が中断され得る。これらの位置データは、この処理ユニットでデジタル化のために必要になり、低い優先の位置データ要求信号ＲＱ′によって要求されたものである。この場合、この中断は、対応する位置データ要求信号ＲＱによって実行される。この位置データ要求信号ＲＱは、最も高い優先権を有し、かつ処理ユニット中の位置制御用の位置データを返送させる。明らかに、対応する稼働優先権を有する２つ以上の位置データ要求信号ＲＱも、発生され得る。
【００３２】
これらのような相違する稼働優先権は、本発明に関連して特定の解決手段を実現する。つまり、１つの共通の稼働優先権の複数の位置データ要求信号ＲＱによって要求された位置データが、複数の所定の時点に対して受取られるか、又は、複数の位置データが規則的に要求される場合にはこれらの位置データが等しい時間間隔で受取られることを保証する必要がある。
【００３３】
したがって、複数のトータル時間Δｔ′G が、より低い稼働優先権で呼出されるこれらの位置データに対して確定される。これらのトータル時間Δｔ′G は、最も高い優先の位置データ要求信号ＲＱの稼働時のトータル時間ΔｔG よりも明らかに長い。基本的に、最も高い優先の位置データ要求信号ＲＱの稼働に対するこのトータル時間ΔｔG は、本発明の迅速な応答のためにできるだけ短く選択されている。したがって、低い優先の位置データ要求信号に対して変更されたトータル時間Δｔ′G は、トータル時間Δｔ′G = ΔｔG + Δｔprior として表される。このとき、場合によっては１つの位置データ要求信号ＲＱが、長くしたトータル時間Δｔ′G 内で最も高い稼働優先権でさらに要求され得るように、この値Δｔprior つまりこのトータル時間Δｔ′G は、例えば位置データ要求信号ＲＱ′に対して２番目に高い稼働優先権で算定される。それに応じて、次いで、１つの位置データ要求信号ＲＱ′が、この長くしたトータル時間Δｔ′G 内で各々の状況で２番目に高い稼働優先権で同様に要求され得るような長さで、このトータル時間Δｔ′G は、場合によっては存在する位置データ要求信号に対して３番目に高い稼働優先権で選択される。そして、それ以降の各トータル時間Δｔ′G も、その次の順番の稼働優先権で同様に選択される。
【００３４】
位置データ要求信号ＲＱの入力時と実際の位置データの受取り時との間のこれらの対応する時間ΔｔG ，Δｔ′G は、上述したように対応する計数器によって検査され得る。
【００３５】
本発明の装置の実施の形態を非常に概略的な形態で図２中に示す。この装置は、一方では位置測定システム２０を有する。例えば、工作機械の互いに運動する２つの部分の相対位置が、この位置測定システム２０によって連続的に算定される。他方では、処理ユニット１０が設けられている。例えば、位置測定装置供給されたデータをさらに処理する工作機械の数値制御部として構成されている。
【００３６】
図示した例では、２本の独立したデータチャネル１１，１２が、位置測定システム２０と処理ユニット１０との間で二方向のデータ伝送を行うために使用される。この場合、データが、位置測定システム２０から１本の第１データチャネル１１を経由して処理ユニット１０に伝送される；データが、処理ユニット１０から１本の第２データチャネル１２を経由して位置測定システム２０に伝送される。
【００３７】
位置測定システム２０側と処理ユニット１０側では、本発明に対して重要な要素だけが、図２中に概略的に示されている；しかも、これらのユニットの構成は、当業者に周知である。
【００３８】
したがって、処理ユニット１０側には、時間測定ユニット１３だけが概略的に示されている。上述したように、位置データ要求信号ＲＱが１つのデータ語ＤＡＴＡ１の伝送の間に入力した場合に、この時に伝送されたこのデータ語に対するこの位置データ要求信号ＲＱの時間的な相対位置が、この時間測定ユニット１３によって算定される。上述したように、データ語ＤＡＴＡ１の伝送の開始と位置データ要求信号ＲＱの入力との間の時間差ΔｔJ が位置信号として算出されるときには、対応する時間測定ユニット２１が、特に計数器として構成されている。
【００３９】
位置測定システム２０側には、制御ユニット２１が概略的に示されている。この制御ユニット２１は、上述した信号処理を位置測定システム２０中で実行する。この目的のために、位置データ要求信号ＲＱの入力後の或る一定なトータル時間ΔｔG に応じて、実際の位置データをこの位置測定システム２０中で受取ると、処理ユニット１０から伝送されたその位置信号が処理される。この場合、この制御ユニット２１は、プロセッサとしても、固定配線式の論理回路としても構成され得る。
【００４０】
位置測定システム２０側では、制御ユニット２１のほかに、記憶ユニット２２がさらに示されている。実際に受取った位置データを評価して処理ユニットに伝送する前に、これらのデータは、この記憶ユニット２２中で最終的に記憶される。
【００４１】
さらに、上述したように、時間測定ユニット２３が、位置測定システム２０側にも設けられている。この時間測定ユニット２３は、伝送された位置データ要求命令ＰＯＳ＿ＲＱと時間差ΔｔJ の処理の終了から位置データが受取られる時点までこの時間差ΔｔJ を増分的に計数するために使用される。この時間測定ユニット２３は、上述したように同様に計数器として構成されている。
【００４２】
これらの説明した要素を除けば、処理ユニット１０及び位置測定システム２０は、ほぼ一般に知られた構造をしている。
【図面の簡単な説明】
【図１】    1aは処理ユニットと位置測定システムとの間で伝送されるデータの伝送プロコトルの時間図の一部である。
１ｂは１つの位置データ要求信号の入力後のイベントの経時変化を示す。
１ｃは１つの位置データ要求信号の入力後のイベントの経時変化を示す。
【図２】  本発明の装置の可能な実施形を非常に概略的に示す。
【符号の説明】
１０    処理ユニット
１１    データチャネル
１２    データチャネル
１３    時間測定ユニット
２０    位置測定システム
２１    制御ユニット
２２    記憶ユニット
２３    時間測定ユニット
【図１】
0004807908.tif 000002
【図２】
0004807908.tif 000003